(57)【要約】【課題】  患者の移動を伴わずに、複数台の光学機器を用いた検査等を可能とする。【解決手段】  医療用光学台１は、光学機器５１，５２を載せた第１及び第２のスライドテーブル２ａ，２ｂと、スライドテーブル２ａ，２ｂを支持するフレーム３と、フレーム３を支持する支柱４と、支柱４の下端に取り付けられたベース台５とを備えている。フレーム３の長手方向の両側には、互いに平行な一対のレール１１からなるスライド機構がそれぞれ設けられている。スライドテーブル２ａ，２ｂは、それぞれ一対のレール１１にスライド自在に取り付けられている。第１スライドテーブル２ａは第１直線Ｍ１上を移動し、第２スライドテーブル２ｂは第２直線Ｍ２上を移動する。患者Ｐ用の椅子３０は、第１直線Ｍ１と第２直線Ｍ２とが交差する部分Ｍ０に設置されている。【選択図】  図３
2006204444.tif 000002
【特許請求の範囲】
【請求項１】
第１の光学機器を支持し、平面視において第１の直線に沿ってスライド自在な第１のスライド部材と、
第２の光学機器を支持し、平面視において前記第１の直線と交差する第２の直線に沿ってスライド自在な第２のスライド部材と、
前記第１及び第２のスライド部材を支持する支持部材と、を備え、
平面視において前記第１の直線と前記第２の直線とが交差する部分に患者が位置するように配置される、医療用光学台。
【請求項２】
前記第１及び第２のスライド部材は、それぞれ前記第１及び第２の光学機器が載置される第１及び第２のスライドテーブルからなり、
前記第１及び第２のスライドテーブルを昇降させる昇降装置を備えている、
請求項１に記載の医療用光学台。
【請求項３】
前記支持部材は、平面視において前記患者側に向かって広がる略Ｖ字状の支持テーブルを備え、
前記支持テーブルは、平面視において略Ｖ字状の屈曲部と、前記屈曲部から一端側に延びる第１載置部と、前記屈曲部から他端側に延びる第２載置部とを有し、
前記第１及び第２のスライドテーブルは、それぞれ前記第１及び第２載置部上に載置され、
前記昇降装置は、前記支持テーブルを昇降させる昇降装置からなっている、
請求項２に記載の医療用光学台。
【請求項４】
前記支持部材は、平面視において前記患者側が凹んだ凹状の脚を備えている、
請求項１〜３のいずれか一つに記載の医療用光学台。
【請求項５】
前記支持部材は、平面視において前記患者側が凹んだ凹状の脚を備え、
前記脚は、平面視において前記支持テーブルの略一端から略他端にまで延びている、
請求項３に記載の医療用光学台。
【請求項６】
前記脚は、平面視において、前記支持テーブルの幅方向に関して前記支持テーブルよりも出っ張っていない、
請求項４又は５に記載の医療用光学台。
【発明の詳細な説明】
【技術分野】
【０００１】
本発明は、医療用光学台に関する。
【背景技術】
【０００２】
従来から、例えば眼科等の医療施設などにおいて、検査や治療等を目的として各種の光学機器が用いられている。このような光学機器を用いた検査等に際しては、検査等を正確に行うために、光学機器に対する患者の位置及び姿勢を正しく保たなくてはならない。例えば、眼科において検眼機器（光学機器）を用いて検査を行う場合、検眼機器と患者との距離が遠いと、患者は前かがみの姿勢にならざるを得ず、検眼機器を眼に対して正しい角度でセッティングすることが困難となる。その結果、正確な検査ができなくなる。また、検査等のために患者に無理な姿勢をとらせると、患者の身体的な負担が大きくなる。
【０００３】
そこで、従来より、光学機器を支持すると共に上下又は前後に移動させる医療用光学台が利用されている。このような医療用光学台を用いることにより、光学機器を上下又は前後に移動させることができ、患者に無理な姿勢をとらせることなく、正しい姿勢で検査等を行うことが可能となる。
【０００４】
この種の医療用光学台として、テーブルと、テーブルを上下動可能に支持する支持体と、テーブル上に置かれた前後にスライド自在な補助テーブル（スライドテーブル）とからなる光学台が知られている（例えば特許文献１参照）。
【０００５】
ところで、眼科の検査等においては、複数の光学機器を用いて複数の検査を順次行う場合がある。従来は、このような場合には、上記医療用光学台を複数台並べて使用していた。
【特許文献１】実開平６−５８９１１号公報（図９）
【発明の開示】
【発明が解決しようとする課題】
【０００６】
しかしながら、従来の医療用光学台を用いた方法では、患者は検査の度に複数の光学台の間を移動しなければならず、面倒であった。また、高齢者等にとっては、着座動作や起立動作に伴う身体的負担が大きいため、検査の度に移動していくことが大変であった。さらに、眼科等においては、視力の低下している患者（例えば、白内障患者等）が多く、そのような患者にとっては、光学台間の移動が特に大変であった。
【０００７】
本発明は、かかる点に鑑みてなされたものであり、その目的とするところは、患者が移動しなくても複数台の光学機器での検査等を可能にすることにある。
【課題を解決するための手段】
【０００８】
本発明に係る医療用光学台は、第１の光学機器を支持し、平面視において第１の直線に沿ってスライド自在な第１のスライド部材と、第２の光学機器を支持し、平面視において前記第１の直線と交差する第２の直線に沿ってスライド自在な第２のスライド部材と、前記第１及び第２のスライド部材を支持する支持部材とを備え、平面視において前記第１の直線と前記第２の直線とが交差する部分に患者が位置するように配置されるものである。
【０００９】
上記医療用光学台によれば、例えば第１の光学機器を用いて検査等を行い、引き続いて第２の光学機器を用いて検査等を行う場合には、それらの検査等は以下のようにして行われる。
【００１０】
すなわち、始めに、患者が第１の光学機器に向き合った状態で、第１のスライド部材を患者側にスライドさせる。これにより、第１の光学機器を正しい位置にセットすることができ、第１の光学機器を用いた検査等を正確に行うことができる。第１の光学機器を用いた検査等が終了した後は、患者は、その場から移動することなく、第１の光学機器から第２の光学機器に向かって体の向きを変える。そして、患者が第２の光学機器に向き合った状態で、第２のスライド部材を患者側にスライドさせる。これにより、第２の光学機器を正しい位置にセットすることができ、第２の光学機器を用いた検査等を正確に行うことができる。
【００１１】
このように、上記医療用光学台を用いると、例えば２種類の検査を行う際、一方の光学機器による検査の後、患者の向きを変えるだけで他方の光学機器による検査を行うことができる。したがって、従来のように、検査の度に患者を移動させる必要はなくなり、移動に伴う身体的負担を与えることがない。
【００１２】
また、上記医療用光学台を用いると、従来のように複数の光学台を並べて使用する必要がなくなり、省スペース化を図ることができる。特に、都心部等にあって診療室又は検査室を広くとることができない医院等において、顕著な効果を発揮することができる。
【００１３】
前記第１及び第２のスライド部材は、それぞれ前記第１及び第２の光学機器が載置される第１及び第２のスライドテーブルからなり、前記医療用光学台は、前記第１及び第２のスライドテーブルを昇降させる昇降装置を備えていることが好ましい。
【００１４】
このことにより、光学機器をスライドテーブルに載せるだけで、光学機器を患者側にスライド自在に設置することができる。また、スライドテーブルを昇降させることにより、光学機器の高さ位置を調整することができる。よって、光学機器の高さ調整及び前後方向の位置調整が容易な医療用光学台を、比較的簡単な構成によって得ることができる。
【００１５】
前記支持部材は、平面視において前記患者側に向かって広がる略Ｖ字状の支持テーブルを備え、前記支持テーブルは、平面視において略Ｖ字状の屈曲部と、前記屈曲部から一端側に延びる第１載置部と、前記屈曲部から他端側に延びる第２載置部とを有し、前記第１及び第２のスライドテーブルは、それぞれ前記第１及び第２載置部上に載置され、前記昇降装置は、前記支持テーブルを昇降させる昇降装置からなっていることが好ましい。
【００１６】
このことにより、医療用光学台の構造の簡単化及び省スペース化を促進することができる。
【００１７】
前記支持部材は、平面視において前記患者側が凹んだ凹状の脚を備えていることが好ましい。
【００１８】
このことにより、患者側の足下のスペースを広く確保することが可能となる。したがって、患者は、光学台の脚との接触を避けるために足を不自然に曲げる必要がなく、無理な姿勢をとらなくてすむので、楽に座ることができる。また、着座又は起立の際に、光学台の脚につまずくことを防止することができる。
【００１９】
前記支持部材は、平面視において前記患者側が凹んだ凹状の脚を備え、前記脚は、平面視において前記支持テーブルの略一端から略他端にまで延びていることが好ましい。
【００２０】
このことにより、患者側の足下のスペースを広く確保することが可能となる。また、脚は支持テーブルの略一端から略他端にまで延びているので、十分な長さを有している。そのため、支持テーブルや光学機器等は、安定して支持される。さらに、脚は支持テーブルの長手方向に出っ張らないので、患者等が光学台の横を通る際に、脚につまずくことを防止することができる。また、光学台自体がコンパクトとなり、省スペース化を促進することができる。
【００２１】
前記脚は、平面視において、前記支持テーブルの幅方向に関して前記支持テーブルよりも出っ張っていないことが好ましい。
【００２２】
このことにより、光学台のコンパクト化及び省スペース化が促進される。また、患者等が脚につまずくことを更に確実に防止することができる。
【発明の効果】
【００２３】
以上のように、本発明によれば、患者は、自ら移動しなくても、体の向きを変えるだけで複数台の光学機器を用いた検査等をうけることが可能となる。また、本発明によれば、光学機器の設置に関し、省スペース化を図ることができる。
【発明を実施するための最良の形態】
【００２４】
以下、本発明の実施形態を図面に基づいて詳細に説明する。
【００２５】
（第１実施形態）
図１〜図３に示すように、第１実施形態に係る医療用光学台１は、光学機器５１，５２を載せて前後にスライド自在な第１及び第２のスライドテーブル２ａ，２ｂ（図２参照）と、スライドテーブル２ａ，２ｂを支持するフレーム３と、フレーム３を支持する支柱４と、支柱４の下端に取り付けられたベース台５とを備えている。フレーム３、支柱４及びベース台５は、スライドテーブル２ａ，２ｂを支持する支持部材を構成している。
【００２６】
図２に示すように、ベース台５は、脚５ａと立ち上がり部分５ｂとにより構成されている。図２に示すように、立ち上がり部分５ｂは、脚５ａの中央部に脚５ａを上下に貫くように固定されている。立ち上がり部分５ｂは中空構造の箱体からなり、その内部には、後述するモータ８に接続されたトランス７が設置されている。
【００２７】
図３に示すように、脚５ａは、平面視において横長の略Ｕ字形状を有しており、患者Ｐ側に凹んだ凹状に形成されている。脚５ａの中央部は両端部より幅広に形成されている。図２に示すように、脚５ａの下部には、複数のホルダ６が設けられている。ホルダ６の上側はねじとなっており、脚５ａのねじ孔（図示せず）に嵌め込まれている。脚５ａに対するホルダ６の挿入量を調整することにより、脚５ａの床面２５からの高さを調整することができる。床面２５が若干傾斜しているような場合には、ホルダ６の挿入量を適宜調整することにより、脚５ａを水平姿勢に保つことができる。このような構造により、ベース台５は、支柱４、フレーム３、スライドテーブル２ａ，２ｂ及び光学機器５１，５２等の全荷重を支持している。
【００２８】
支柱４は、第１支柱４ａと、第２支柱４ｂとから構成されている。第１支柱４ａ及び第２支柱４ｂは、共に筒状体である。第１支柱４ａはベース台５の立ち上がり部分５ｂ上に固定されている。第２支柱４ｂは、第１支柱４ａの内部側壁に固定したレール（図示せず）に摺動可能に支持されている。すなわち、第２支柱４ｂは第１支柱４ａに対して上下方向にスライド自在である。
【００２９】
図示は省略するが、第１支柱４ａの内部には、電動アクチュエータが設置されている。この電動アクチュエータのロッドは、ピンによって第２支柱４ｂに固定されている。これにより、電動アクチュエータを駆動させると、ロッドが上下動し、それに伴って第２支柱４ｂが昇降することとなる。第２支柱４ｂの上部の外部側壁には、電動アクチュエータを駆動するモータ８が取り付けられている。
【００３０】
前述したように、フレーム３はスライドテーブル２ａ，２ｂを支持する部材であり、本実施形態ではスライドテーブル２ａ，２ｂと支柱４とを連結している。フレーム３の形状又は構造は特に限定されず、例えば、複数のアングル材からなるいわゆる骨組み構造によって構成されていてもよい。
【００３１】
図３に示すように、本実施形態ではフレーム３は、平面視が略Ｕ字形状（あるいは、屈曲又は湾曲の程度が緩やかな略Ｖ字形状）の帯状の板からなっている。フレーム３は、略Ｕ字状に開いた側（図３における左側。以下、内側という）が患者Ｐ側に位置するような向きに設置されている。図２に示すように、フレーム３の長手方向の中央部は、固定プレート１０を介して第２支柱４ｂの上端部に固定されている。これにより、フレーム３は、第２支柱４ｂの昇降に従って鉛直方向に上下動する。また、フレーム３の中央部の外側、すなわち上記内側と反対の側（図３における右側）には、第２支柱４ｂの昇降操作のための操作パネル９が設置されている。
【００３２】
図３に示すように、フレーム３の長手方向の両側には、互いに平行な一対のレール１１からなるスライド機構がそれぞれ設けられている。レール１１は、フレーム３の幅方向に延びており、互いに一定の間隔を隔ててフレーム３上に固定されている。この２組のレール１１上には、スライドテーブル２ａ，２ｂがそれぞれ摺動可能に設置されている。
【００３３】
スライドテーブル２ａ，２ｂは、光学機器５１，５２を支持する台である。スライドテーブル２ａ，２ｂの形状及び寸法は何ら限定されないが、本実施形態では、スライドテーブル２ａ，２ｂは、平面視略長方形状の板からなっている。スライドテーブル２ａ，２ｂの長手方向は、フレーム３の幅方向に一致している。スライドテーブル２ａ，２ｂの長手方向の一端側（フレーム３の外側であり、図３の右側）の面では、両端部２ｃに丸みが形成されている。
【００３４】
スライドテーブル２ａ，２ｂは、それぞれ一対のレール１１に案内されて長手方向にスライドする。第１スライドテーブル２ａの略中心を通り且つ前記レール１１と平行な仮想的な直線を第１直線Ｍ１とすると、第１スライドテーブル２ａは第１直線Ｍ１上を移動する。一方、第２スライドテーブル２ｂの略中心を通り且つ前記レール１１と平行な仮想的な直線を第２直線Ｍ２とすると、第２スライドテーブル２ｂは第２直線Ｍ２上を移動する。なお、第１スライドテーブル２ａ及び第２スライドテーブル２ｂは、略Ｕ字状のフレーム３の左右にそれぞれ配置されているので、第１直線Ｍ１と第２直線Ｍ２とは、フレーム３の内側において交差する。図３における符号Ｍ０は、第１直線Ｍ１と第２直線Ｍ２との交差点である。
【００３５】
図２に示すように、第１光学機器５１は第１スライドテーブル２ａ上に設置され、第２光学機器５２は第２スライドテーブル２ｂ上に設置されている。本実施形態では、第１光学機器５１と第２光学機器５２とは種類が異なっており、それぞれ異なる検査又は治療等に用いられる。これら第１光学機器５１及び第２光学機器５２の種類は何ら限定されない。ただし、第１光学機器５１と第２光学機器５２とは、連続的に使用される機器であることが特に好ましい。例えば、第１光学機器５１及び第２光学機器５２の組み合わせとして、近視を測定する機器であるオートレフラクトケラトメータ、及び眼圧を測定する機器であるノンコンタクトトノメータ等を好適に用いることができる。
【００３６】
図３に示すように、フレーム３の内側には、光学機器５１，５２による検査又は治療を受ける患者Ｐが位置し、フレーム３の外側には、光学機器５１，５２を操作する医師、看護士等（以下、単に医師という）Ｄが位置する。フレーム３の内側には患者Ｐ用の椅子３０が設置され、フレーム３の外側には医師Ｄ用の椅子３１が設置されている。
【００３７】
具体的には、患者Ｐ用の椅子３０は、交差点Ｍ０の近傍、すなわち第１直線Ｍ１と第２直線Ｍ２とが交差する部分に設置されている。椅子３０の形式等は何ら限定されないが、椅子３０は回転自在且つ移動不能に構成されていることが好ましい。例えば、キャスタの付いていない椅子、または、キャスタ付きの椅子であってキャスタのストッパを備えている椅子等を好適に用いることができる。
【００３８】
医師Ｄ用の椅子３１は、光学機器５１，５２の操作に適した位置、例えば第１直線Ｍ１及び第２直線Ｍ２上に設置される。医師Ｄ用の椅子３１は、各光学機器５１，５２に対して設置されていてもよく、一つの椅子３１を両光学機器５１，５２の操作に兼用してもよい。例えば、キャスタ付きの椅子等を用いることにより、椅子３１に座った状態のままで第１直線Ｍ１上の位置と第２直線Ｍ２上の位置との間を容易に移動することができる。
【００３９】
次に、医療用光学台１の使用方法について説明する。ここでは、医師Ｄが両光学機器５１，５２を第１光学機器５１、第２光学機器５２の順に使用し、患者Ｄに対して２種類の検査を行う動作について説明する。
【００４０】
図３に示すように、まず、検査を行う医師Ｄは、患者Ｐに椅子３０への着座を促す。このとき、医師Ｄは、最初に使用する第１光学機器５１側の検査位置Ｄ１につき、患者Ｐには第１光学機器５１の方向（Ｐ１方向）を向いて着座するように促す。なお、患者Ｐが車椅子使用者である場合は、椅子３０のかわりに車椅子を椅子３０の位置に移動させる。
【００４１】
患者Ｐが第１光学機器５１に向かって着座した後、医師Ｄは第１光学機器５１の高さ調整を行う。高さ調整に際しては、まず、操作パネル９の昇降スイッチ（図示せず）をＯＮし、モータ８の回転により電動アクチュエータ（図示せず）を駆動する。この電動アクチュエータの駆動により、第２支柱４ｂが昇降し、それに従ってフレーム３及びフレーム３上のスライドテーブル２ａ，２ｂが上昇または下降する。これらの動作により、スライドテーブル２ａ上の第１光学機器５１を上昇または下降させ、第１光学機器５１が患者Ｐの患部に合った位置（すなわち検査に適した位置）にくるように高さ調整を行う。
【００４２】
第１光学機器５１の高さ調整を行った後、医師Ｄは第１光学機器５１の前後方向（Ｐ１方向）の位置の調整を行う。前後方向の位置調整は、第１スライドテーブル２ａのスライド動作により行う。まず、医師Ｄは、第１光学機器５１又は第１スライドテーブル２ａをつかみ、前方に押してスライドさせる。そして、第１光学機器５１と患者Ｐとの距離が検査に適した距離になると、第１スライドテーブル２ａの移動を停止させる。すなわち、医師Ｄは、患者Ｐが正しい姿勢（前屈み等にならない姿勢）で検査を受けられる位置まで第１光学機器５１を移動させた時点で、第１スライドテーブル２ａの移動操作を終了する。
【００４３】
このようにして、医師Ｄは、第１光学機器５１を患者に合った適正な位置に移動させた後、第１光学機器５１による検査を行う。そして、第１光学機器５１による検査の終了後、医師Ｄは、第１光学機器５１又は第１スライドテーブル２ａを後方に引いて、第１スライドテーブル２ａを元の位置までスライドさせる。
【００４４】
続いて、医師Ｄは、第２光学機器５２を使用した検査を行うため、第１光学機器５１の検査位置Ｄ１から第２光学機器５２の検査位置Ｄ２まで移動する。その際、患者Ｐには、第２光学機器５２の方向（Ｐ２方向）を向くように促す。そして、患者Ｐは、その場で椅子３０を回転させることにより、方向転換を行う。
【００４５】
患者Ｐが第２光学機器５２側に方向転換した後、医師Ｄは、第１光学機器５１の検査の場合と同様に、第２光学機器５２の高さ調整及び前後方向（Ｐ２方向）の位置調整を順に行う。そして、医師Ｄは、第２光学機器５２を患者Ｐに合った適正な位置に移動させた後、検査を行う。第２光学機器５２を使用した検査を終了した後、医師Ｄは、第１光学機器５１と同様に、第２光学機器５２又は第２スライドテーブル２ｂを後方に引いて、第２スライドテーブル２ｂを元の位置までスライドさせる。
【００４６】
以上のように、本実施形態によれば、第１及び第２の光学機器５１，５２を積載した第１及び第２のスライドテーブル２ａ，２ｂが、それぞれ患者Ｐに向けてスライドするように配置されている。そのため、患者Ｐは、第１光学機器５１による検査から第２光学機器５２による検査に移る際、従来のように起立と着座を繰り返して複数の光学台間を移動する必要がなく、椅子３０を回転させることによって体の向きを変えるだけですむ。したがって、移動に伴って患者Ｐにかかっていた身体的負担を軽減することができる。特に車椅子使用者、高齢者、視力の低下している者等にとっては、着座動作や起立動作に伴う負担が大きいので、本医療用光学台１による身体的負担の軽減効果が顕著に発揮される。
【００４７】
さらに、本実施形態によれば、患者Ｐの移動が不要であるため、患者Ｐの移動スペースを確保しなくてもよい。したがって、２台の光学機器５１，５２の使用が必要となる検査の際、必要とされるスペースを従来よりも縮小することができる。
【００４８】
また、本実施形態によれば、スライドテーブル２ａ，２ｂがそれぞれ患者Ｐに向かってスライド自在であり、さらに、支柱４の伸縮により昇降自在である。そのため、光学機器５１，５２の前後方向及び上下方向の位置調整を容易に行うことができる。したがって、検査の際、患者Ｐに無理な姿勢をとらせることなく、正しい姿勢で検査を行うことが容易になる。さらに、患者Ｐに与える身体的負担が軽減する。
【００４９】
本医療用光学台１では、第１直線Ｍ１と平行に配置したレール１１上に第１スライドテーブル２ａを設置し、第２直線Ｍ２と平行に配置したレール１１上に第２スライドテーブル２ｂを設置することにより、第１スライドテーブル２ａ及び第２スライドテーブル２ｂを、それぞれ第１直線Ｍ１及び第２直線Ｍ２上にスライド可能としている。さらに、本医療用光学台１では、支柱４を伸縮させることによって、スライドテーブル２ａ，２ｂの上下動を可能としている。そのため、これらのスライドテーブル２ａ，２ｂのスライド機構及び昇降機構を比較的簡単な構成で実現することができる。したがって、医療用光学台１の構成の簡単化及び小型化を促進することができる。
【００５０】
本医療用光学台１では、フレーム３の外周は滑らかな曲面で構成されている。したがって、医師Ｄや患者Ｐが医療用光学台１の横を通る際、フレーム３によるひっかかりを防止することができる。
【００５１】
本医療用光学台１では、脚５ａは、平面視において患者Ｐ側が開いた横長のＵ字形状を有している。そのため、患者Ｐ側の足下のスペースを広く確保することが可能となる。したがって、患者Ｐは、従来のように光学台の脚との接触を避けるために足を不自然に曲げる必要がなく、楽に座ることができる。また、着座や起立の際に、脚５ａにつまずくことを防止することができる。
【００５２】
（第２実施形態）
上記第１実施形態では、スライドテーブル２ａ，２ｂはフレーム３によって支持されていた。しかしながら、スライドテーブル２ａ，２ｂを支持する部材は、フレーム３に限定される訳ではない。図４〜図６に示すように、第２実施形態に係る医療用光学台１は、フレーム３の代わりに平面視略Ｖ字状のテーブル３３を備えたものである。
【００５３】
図６に示すように、テーブル３３は、平面視において患者Ｐ側に向かって広がる略Ｖ字状に形成され、略Ｖ字状の屈曲部３３ａと、屈曲部３３ａから一端側に延びる第１載置部３３ｂと、屈曲部３３ａから他端側に延びる第２載置部３３ｃとを備えている。第１スライドテーブル２ａは第１載置部３３ｂ上に載置され、第２スライドテーブル２ｂは第２載置部３３ｃ上に載置されている。
【００５４】
本実施形態においても、ベース台５の脚５ａは、平面視において患者Ｐ側に凹んだ凹状に形成されている。脚５ａは、テーブル３３の略Ｖ字状の長手方向に沿って、テーブル３３の略一端から略他端にまで延びている。したがって、脚５ａは十分な長さを有しており、テーブル３３等を安定して支持することができる。また、脚５ａの幅は、テーブル３３の幅よりも短くなっている。これにより、脚５ａは、平面視においてテーブル３３の輪郭内にほぼ収まっている。脚５ａは、長手方向及び幅方向の双方に関して、テーブル３３よりも外側に出っ張っていない。したがって、患者Ｐ又は医師Ｄ等が医療用光学台１の横を通る際に、脚５ａにつまずくことはない。
【００５５】
その他の構成は、第１実施形態と同様であるので、それらの説明は省略する。
【００５６】
本実施形態によれば、第１実施形態と同様の効果を得ることができる。加えて、本実施形態によれば、スライドテーブル２ａ，２ｂをテーブル３３の上に載置するだけで、光学機器５１，５２を患者Ｐに向かってスライドさせる機構を容易に実現することができる。
【００５７】
（その他の実施形態）
本発明に係る医療用光学台は、前記第１及び第２実施形態に限らず、種々の態様で実施することが可能である。第２実施形態では、テーブル３３の上にスライドテーブル２ａ，２ｂを載せることとしていた。しかしながら、スライドテーブル２ａ，２ｂは、テーブル３３に埋め込まれていてもよい。例えば、テーブル３３の表面に、スライドテーブル２ａ，２ｂを嵌め込むための凹部を形成しておいてもよい。スライドテーブル２ａ，２ｂとテーブル３３の表面とを面一にし、それらの間に段差が形成されないようにしてもよい。
【００５８】
前記実施形態では、スライドテーブル２ａ，２ｂは人手によってスライドさせるものであった。しかし、スライドテーブル２ａ，２ｂは手動式のものに限らず、自動式のもの（例えば電動アクチュエータを備えたスライドテーブル等）であってもよい。
【００５９】
前記実施形態では、医療用光学台１には、２台のスライドテーブル２ａ，２ｂが設けられていた。しかしながら、医療用光学台１に設けられるスライドテーブルの台数は２台に限定されず、３台以上であってもよい。これにより、３台以上の光学機器を使用して、連続的な検査等が可能となる。そのため、患者Ｐの移動時間の短縮や、患者Ｐの移動に伴う身体的負担等を更に軽減することができる。
【００６０】
前記実施形態では、第１光学機器５１及び第２光学機器５２はこの順に使用され、また、連続して使用されていた。しかしながら、これら光学機器５１，５２の使用の順番は何ら限定されるものではなく、また、光学機器５１，５２の組み合わせは、必ずしも連続的に使用されるものでなくてもよい。
【００６１】
前記実施形態では、医療用光学台１には、眼科用の光学機器５１，５２が積載されていた。しかしながら、医療用光学台１に他の光学機器を積載することも勿論可能である。医療用光学台１の用途は、眼科用に限定されず、例えば、歯科、耳鼻科等の検査又は診療等であってもよい。
【産業上の利用可能性】
【００６２】
以上説明したように、本発明は、医療用光学台について有用である。
【図面の簡単な説明】
【００６３】
【図１】第１実施形態に係る医療用光学台１の側面図である。
【図２】第１実施形態に係る医療用光学台１の正面図である。
【図３】第１実施形態に係る医療用光学台１の平面図である。
【図４】第２実施形態に係る医療用光学台１の側面図である。
【図５】第２実施形態に係る医療用光学台１の正面図である。
【図６】第２実施形態に係る医療用光学台１の平面図である。
【符号の説明】
【００６４】
１    医療用光学台
２ａ  第１スライドテーブル（スライド部材）
２ｂ  第２スライドテーブル（スライド部材）
３    フレーム
４    支柱
５    ベース台
８    モータ（昇降装置）
９    操作パネル
５１  第１光学機器
５２  第２光学機器
Ｄ    医師
Ｍ１  第１直線
Ｍ２  第２直線
Ｐ    患者
【図１】
2006204444.tif 000003
【図２】
2006204444.tif 000004
【図３】
2006204444.tif 000005
【図４】
2006204444.tif 000006
【図５】
2006204444.tif 000007
【図６】
2006204444.tif 000008